(57)【要約】【課題】蓋の開閉動作を繰り返しても係止能力が低下することなく、省スペースで、使用者の使い勝手がよく、かつ簡単な作業で組立可能な蓋開閉機構を提供する。【解決手段】本発明の蓋開閉機構は、当接部材４０を有する蓋３０と、軸部材５０を有し前記蓋３０を摺動可能に支持する本体２１と、を備え、前記蓋３０は、蓋閉状態、前記本体２１に対して摺動可能である蓋閉中状態、に遷移可能であり、前記蓋３０が前記蓋閉状態から前記蓋閉中状態に遷移するときに、前記当接部材４０が前記軸部材５０に当接し、前記蓋閉状態に戻る方向の反発力を受け、前記蓋３０がその反発力に抗してさらに移動すると、その反発力が減少するかまたはなくなる、ように構成される。【選択図】図７
2009175592.tif 000002
【特許請求の範囲】
【請求項１】
当接部材を有する蓋と、軸部材を有し前記蓋を摺動可能に支持する筐体と、
を備え、
前記蓋は、蓋閉状態、前記筐体に対して摺動可能である蓋閉中状態、に遷移可能であり、
前記蓋が前記蓋閉状態から前記蓋閉中状態に遷移するときに、前記当接部材が前記軸部材に当接し、前記蓋閉状態に戻る方向の反発力を受け、前記蓋がその反発力に抗してさらに移動すると、その反発力が減少するかまたはなくなり、
前記蓋が前記蓋閉中状態から前記蓋閉状態に遷移するときに、前記当接部材が前記軸部材に当接し、前記蓋閉中状態に戻る方向の反発力を受け、前記蓋がその反発力に抗してさらに移動すると、その反発力が減少するかまたはなくなる、
ように構成された蓋開閉機構。
【請求項２】
軸部材を有する蓋と、当接部材を有し前記蓋を摺動可能に支持する筐体と、
を備え、
前記蓋は、蓋閉状態、前記筐体に対して摺動可能である蓋閉中状態、に遷移可能であり、
前記蓋が前記蓋閉状態から前記蓋閉中状態に遷移するときに、前記軸部材が前記当接部材に当接し、前記蓋閉状態に戻る方向の反発力を受け、前記蓋がその反発力に抗してさらに移動すると、その反発力が減少するかまたはなくなり、
前記蓋が前記蓋閉中状態から前記蓋閉状態に遷移するときに、前記軸部材が前記当接部材に当接し、前記蓋閉中状態に戻る方向の反発力を受け、前記蓋がその反発力に抗してさらに移動すると、その反発力が減少するかまたはなくなる、
ように構成された蓋開閉機構。
【請求項３】
前記蓋は、
前記筐体に対して回動可能である蓋開状態にも遷移可能であり、
前記蓋閉状態および前記蓋閉中状態において、前記蓋が前記筐体に対して回動しないように前記筐体に係合する係止部を有する、
ことを特徴とする請求項１または請求項２に記載の蓋開閉機構。
【請求項４】
前記当接部材は、
前記軸部材に対向する凸部を有する板バネである、
ことを特徴とする請求項１から請求項３のいずれかに記載の蓋開閉機構。
【請求項５】
前記軸部材および前記当接部材は、
金属材料で形成される、
ことを特徴とする請求項１から請求項４のいずれかに記載の蓋開閉機構。
【請求項６】
前記当接部材は、
前記軸部材によって固定される、
ことを特徴とする請求項１から請求項５のいずれかに記載の蓋開閉機構。
【請求項７】
前記筐体は、突起部を有し、
前記蓋開状態において、前記当接部材が前記突起部に当接することで前記蓋が回動する、
ことを特徴とする請求項３から請求項６のいずれかに記載の蓋開閉機構。
【請求項８】
前記筐体は、内部に収納される収納部材を前記蓋に向かう方向に押圧する押圧機構を有し、
前記蓋開状態において、前記収納部材が前記蓋に当接することで前記蓋が回動する、
ことを特徴とする請求項３から請求項６のいずれかに記載の蓋開閉機構。
【請求項９】
前記筐体は、内部に収納される収納部材を前記蓋に向かう方向に押圧する押圧機構を有し、
前記蓋は、突起部を有し、
前記蓋開状態において、前記収納部材が前記突起部に当接することで前記蓋が回動する、
ことを特徴とする請求項３から請求項６のいずれかに記載の蓋開閉機構。
【請求項１０】
前記蓋は、
前記蓋開状態において、前記当接部材に併設されたバネによって自動的に全開状態となる、
ことを特徴とする請求項３から請求項６のいずれかに記載の蓋開閉機構。
【請求項１１】
前記収納部材は、
少なくともバッテリーおよび／または記録メディアを含む、
ことを特徴とする請求項８または請求項９のいずれかに記載の蓋開閉機構。
【発明の詳細な説明】
【技術分野】
【０００１】
本発明は、バッテリーや記録メディア等を収納することができる電子機器の蓋開閉機構に関する。
【背景技術】
【０００２】
近年、デジタルスチルカメラや携帯電話等に代表される携帯型の電子機器は、バッテリーや記録メディア等の付属品が出し入れ可能に構成されていることが多く、このような付属品は使用時に脱落しないよう蓋で保護されている。
【０００３】
また、これらの携帯型の電子機器は、年々生産数が増加するとともに、その使用環境も多岐にわたり、小型軽量化も進んでいるなか、省スペースで簡単に組立ができ、耐久性のある蓋開閉機構が求められている。
【０００４】
特許文献１には、「摺動させることによってロックが外れ蓋が回動自在になり、蓋を回動することによって開くことができる長寿命の蓋機構」が開示されている。
【特許文献１】特開２００５−２８９４７９号公報
【発明の開示】
【発明が解決しようとする課題】
【０００５】
しかしながら、特許文献１に開示されている構成では、図１に示すように、蓋１０に一体に設けられたツメ１０Ａ、１０Ｂが、本体１１に一体に設けられた係合部１１Ａ、１１Ｂに係合することによって蓋１０が係止されるが、この様な構成の場合、ツメ１０Ａ、１０Ｂは蓋１０と同じ材料となり、一般的には樹脂成形材料で構成される。また、係合部１１Ａ、１１Ｂにおいても同様に本体１１と同じ材料となり、一般的には樹脂成形材料で構成されることとなる。
【０００６】
従って、ツメ１０Ａ、１０Ｂと係合部１１Ａ、１１Ｂは蓋１０の開閉動作によって樹脂成形材料同士で係合と解除を繰り返すことになるが、樹脂成形材料は擦り減ったり、変形や経年劣化を発生し、係止能力を徐々に失うこととなる。
【０００７】
また、ツメ１０Ａ、１０Ｂと係合部１１Ａ、１１Ｂは、蓋１０の摺動方向両側と本体１１の対応する箇所とに設けられるので、所定のスペースを必要とする。
【０００８】
本発明は、蓋の開閉動作を繰り返しても係止能力が低下することなく、省スペースで、使用者の使い勝手がよく、かつ簡単な作業で組立可能な電子機器の蓋開閉機構を提供することを目的とする。
【課題を解決するための手段】
【０００９】
前記課題を解決するために本発明の蓋開閉機構は、当接部材を有する蓋と、軸部材を有し前記蓋を摺動可能に支持する筐体と、を備え、前記蓋は、蓋閉状態、前記筐体に対して摺動可能である蓋閉中状態、に遷移可能であり、前記蓋が前記蓋閉状態から前記蓋閉中状態に遷移するときに、前記当接部材が前記軸部材に当接し、前記蓋閉状態に戻る方向の反発力を受け、前記蓋がその反発力に抗してさらに移動すると、その反発力が減少するかまたはなくなり、前記蓋が前記蓋閉中状態から前記蓋閉状態に遷移するときに、前記当接部材が前記軸部材に当接し、前記蓋閉中状態に戻る方向の反発力を受け、前記蓋がその反発力に抗してさらに移動すると、その反発力が減少するかまたはなくなる、ように構成される。
【００１０】
また、本発明の蓋開閉機構は、軸部材を有する蓋と、当接部材を有し前記蓋を摺動可能に支持する筐体と、を備え、前記蓋は、蓋閉状態、前記筐体に対して摺動可能である蓋閉中状態、に遷移可能であり、前記蓋が前記蓋閉状態から前記蓋閉中状態に遷移するときに、前記軸部材が前記当接部材に当接し、前記蓋閉状態に戻る方向の反発力を受け、前記蓋がその反発力に抗してさらに移動すると、その反発力が減少するかまたはなくなり、前記蓋が前記蓋閉中状態から前記蓋閉状態に遷移するときに、前記軸部材が前記当接部材に当接し、前記蓋閉中状態に戻る方向の反発力を受け、前記蓋がその反発力に抗してさらに移動すると、その反発力が減少するかまたはなくなる、ように構成されてもよい。
【００１１】
また、本発明の蓋開閉機構の前記蓋は、前記筐体に対して回動可能である蓋開状態にも遷移可能であり、前記蓋閉状態および前記蓋閉中状態において、前記蓋が前記筐体に対して回動しないように前記筐体に係合する係止部を有する、ことを特徴としてもよい。
【００１２】
この構成では、軸部材が挿通される部位に当接部材が設けられるので、省スペースな蓋開閉機構を提供することができる。
【００１３】
また、本発明の蓋開閉機構の前記当接部材は、前記軸部材に対抗する凸部を有する板バネである、ことを特徴としてもよい。
【００１４】
また、本発明の蓋開閉機構の前記軸部材および前記当接部材は、金属材料で形成される、ことを特徴としてもよい。
【００１５】
これらの構成では、蓋の開閉動作を繰り返しても係止能力が低下することなく、省スペースな蓋開閉機構を提供することができる。
【００１６】
また、本発明の蓋開閉機構の前記当接部材は、前記軸部材によって固定される、ことを特徴としてもよい。
【００１７】
この構成では、軸支持孔に軸部材が挿通されることで当接部材が固定されるので、簡単な作業で組立可能な蓋開閉機構を提供することができる。
【００１８】
また、本発明の蓋開閉機構の前記筐体は、突起部を有し、前記蓋開状態において、前記当接部材が前記突起部に当接することで前記蓋が回動する、ことを特徴としてもよい。
【００１９】
また、本発明の蓋開閉機構の前記筐体は、内部に収納される収納部材を前記蓋に向かう方向に押圧する押圧機構を有し、前記蓋開状態において、前記収納部材が前記蓋に当接することで前記蓋が回動する、ことを特徴としてもよい。
【００２０】
また、本発明の蓋開閉機構の前記筐体は、内部に収納される収納部材を前記蓋に向かう方向に押圧する押圧機構を有し、前記蓋は、突起部を有し、前記蓋開状態において、前記収納部材が前記突起部に当接することで前記蓋が回動する、ことを特徴としてもよい。
【００２１】
これらの構成では、蓋開状態において、蓋が自動的に半開状態となるので、使用者の使い勝手がよい蓋開閉機構を提供することができる。
【００２２】
また、本発明の蓋開閉機構の前記蓋は、前記蓋開状態において、前記当接部材に併設されたバネによって自動的に全開状態となる、ことを特徴としてもよい。
【００２３】
この構成では、蓋開状態において、蓋が自動的に全開状態となるので、使用者の使い勝手がさらによい蓋開閉機構を提供することができる。
【００２４】
また、本発明の蓋開閉機構の前記収納部材は、少なくともバッテリーおよび／または記録メディアを含む、ことを特徴としてもよい。
【発明の効果】
【００２５】
本発明の蓋開閉機構によれば、蓋の開閉動作を繰り返しても係止能力が低下することなく、省スペースで、使用者の使い勝手がよく、かつ簡単な作業で組立可能な蓋開閉機構を提供することができる。
【発明を実施するための最良の形態】
【００２６】
（概要）
本発明の蓋開閉機構について、デジタルスチルカメラを例において説明する。図２は、デジタルスチルカメラの全体斜視図である。図３は、蓋の分解斜視図である。図４は、当接部材の斜視図である。図５は、実施の形態１におけるデジタルカメラの部分断面図である。図６は、デジタルカメラの斜視断面図である。図７は、デジタルカメラの分解説明図である。図８は、実施の形態２におけるデジタルカメラの部分断面図である。
【００２７】
デジタルスチルカメラ２０において、蓋３０は、当接部材４０を軸部材５０が挿通される部位に設けるための当接部材収納部３１を有する。
【００２８】
当接部材４０および軸部材５０はステンレス等の金属材料で形成され、当接部材４０に形成された凸部４１を軸部材５０が乗り越える際に発生する抵抗を係止機構としているとともに、当接部材４０は軸支持孔３３Ａ、３３Ｂに軸部材５０を挿通することで固定される。
【００２９】
蓋３０は、回動が禁止され係止される位置（蓋閉状態）から回動が可能になる位置（蓋開状態）まで摺動（蓋閉中状態）すると、当接部材４０に一体に設けられた板バネ４２に対して本体２１に設けられた突起部２４により押圧がかかり、自動的に半開状態となる。
（実施の形態１）
（構成）
本発明の電子機器の蓋開閉機構では、図２に示すように、デジタルスチルカメラ２０の本体２１内にバッテリー１００や記録メディア２００等を収納する空間と、バッテリー１００や記録メディア２００等を出し入れ可能にする開口部２２、２３と、開口部２２，２３を覆うとともに本体２１に固定された軸部材５０を介して摺動および回動可能な状態で設けられた蓋３０と、を備えている。
【００３０】
次に、図３に示すように、蓋３０には、回動が禁止され係止される位置（蓋閉状態）から回動が可能になる位置（蓋開状態）までの間で摺動が可能（蓋閉中状態）となるよう、軸部材５０に対して蓋３０の摺動方向に延長した長円形の軸支持孔３３Ａ、３３Ｂと、回動を規制するための摺動ツメ３２Ａ、３２Ｂ、３２Ｃと、が設けられている。摺動ツメ３２Ａ、３２Ｂ、３２Ｃは、本体２１に設けられた摺動ツメ２５Ａ、２５Ｂ、２５Ｃ（図２参照）と係合している間、蓋３０の回動を禁止する。摺動ツメ３２Ａ、３２Ｂ、３２Ｃは、本発明の係止部の一例である。
【００３１】
さらに、蓋３０は、蓋３０の摺動を係止するための当接部材４０を軸部材５０が挿通される部位に設けるために、当接部材収納部３１を有する。当接部材４０および軸部材５０は、ステンレス等の金属材料で形成され、当接部材４０に形成された凸部４１を軸部材５０が乗り越える際に発生する抵抗を係止機構としている。
【００３２】
さらに、蓋３０は、回動が禁止され係止される位置（蓋閉状態）から回動が可能になる位置（蓋開状態）まで摺動（蓋閉中状態）すると、蓋３０に設けられた摺動ツメ３２Ａ、３２Ｂ、３２Ｃと本体２１に設けられた摺動ツメ２５Ａ、２５Ｂ、２５Ｃとの係合が解除され、図４に示すように、当接部材４０に一体に設けられた板バネ４２に対して本体２１に設けられた突起部２４により押圧がかかり、自動的に半開状態となる。
（動作）
蓋３０において、回動が禁止され係止される位置（蓋閉状態）から回動が可能になる位置（蓋開状態）までの動きについて、図５、図６を用いてそのメカニズムを説明する。
【００３３】
図５（ａ）は、蓋３０の回動が禁止され係止された状態（蓋閉状態）を示している。蓋３０に設けられた当接部材４０に一体に設けられた凸部４１が軸部材５０に当接し、蓋３０は矢印Ａ方向に摺動することができず係止された状態（蓋閉状態）となっている。
【００３４】
図５（ｂ）は、蓋３０に矢印Ａ方向の力を加えることにより摺動が開始され、当接部材４０が変形することによりクリック感を発生させながら、係止が解除される直前の状態を示している。
【００３５】
図５（ｃ）および図６は、蓋３０の摺動（蓋閉中状態）が終了し回動が可能になる状態（蓋開状態）を示している。このとき、本体２１に設けられた突起部２４により、当接部材４０に一体に設けられた板バネ４２に押圧がかかる。
【００３６】
図５（ｄ）は、板バネ４２にかかった押圧に反発し蓋３０が自動的に半開になった状態（蓋開状態）を示している。
【００３７】
蓋３０において、回動が可能になる位置（蓋開状態）から回動が禁止され係止される位置（蓋閉状態）までの動きについては、この逆となる。
（組み立て）
次に、組み立てに関して、図３、図４、図６、図７を用いて説明する。
【００３８】
当接部材４０に一体に形成された曲げ４３を蓋３０に設けられた孔３４に挿入することにより、当接部材４０を蓋３０に設けられた当接部材収納部３１に挿着する。当接部材４０には、さらに曲げ４４Ａ、４４Ｂが一体に形成されており、曲げ４４Ａ、４４Ｂが当接部材収納部３１に設けられた孔３６Ａ、３６Ｂに嵌合することにより、当接部材４０が軸部材５０方向および蓋３０の摺動方向に対して位置決めされる。
【００３９】
次に、蓋３０の摺動方向に延長した長円形の軸支持孔３３Ａ、３３Ｂに軸部材５０を挿通することにより、軸部材５０が当接部材４０の摺動面４５に当接し、当接部材４０に一体に形成された曲げ４３が蓋３０に設けられた孔３４の壁３５に当接するので、当接部材４０が当接部材収納部３１に固定される。これにより、本発明の電子機器の蓋開閉機構を簡単な作業で組み立てることができる。
【００４０】
軸部材５０および当接部材４０は、ステンレスに代表されるような曲げの繰り返し応力や腐食、温度変化に強い金属材料で形成することにより、擦り減ったり、変形や経年劣化を抑えることができる。
（実施の形態２）
実施の形態１で説明した自動的に蓋３０が半開状態となる構成の別の構成を、実施の形態２として、図８を用いて説明する。その余の構成は、実施の形態１と同様であるので、説明を省略する。
【００４１】
軸部材５０および当接部材４０は、ステンレス等の金属材料で形成され、当接部材４０に形成された凸部４１を軸部材５０が乗り越える際に発生する抵抗を係止機構とし、蓋３０は、回動が禁止され係止される位置（蓋閉状態）から回動が可能になる位置（蓋開状態）まで摺動（蓋閉中状態）すると、蓋３０に設けられた摺動ツメ３２Ａ、３２Ｂ、３２Ｃと本体２１に設けられた摺動ツメ２５Ａ、２５Ｂ、２５Ｃとの係合が解除されるところまでは、実施の形態１と同様であるが、このとき、蓋３０に設けられたリブ３７がバッテリー１００を押し下げる状態となり、蓋３０はバッテリー１００がバッテリー基準位置１０１に復帰しようとする押圧に反発し自動的に半開状態となる。
【００４２】
蓋３０において、回動が禁止され係止される位置（蓋閉状態）から回動が可能になる位置（蓋開状態）までの動きについて、図８を用いてそのメカニズムを説明する。
【００４３】
図８（ａ）は、蓋３０の回動が禁止され係止された状態（蓋閉状態）を示している。蓋３０に設けられた当接部材４０に一体に設けられた凸部４１が軸部材５０に当接し、蓋３０は矢印Ａ方向に摺動することができず係止された状態（蓋閉状態）となっている。
【００４４】
図８（ｂ）は、蓋３０に矢印Ａ方向の力を加えることにより摺動が開始され、当接部材４０が変形することによりクリック感を発生させながら、係止が解除される直前の状態を示している。ここまでは、実施の形態１と同様である。
【００４５】
図８（ｃ）は、蓋３０の摺動（蓋閉中状態）が終了し回動が可能になる状態（蓋開状態）を示している。このとき、本体２１に収納されているバッテリー１００が、蓋３０に設けられたリブ３７によって、バッテリー基準位置１０１から押下位置１０２へ押し下げられている（図８（ｃ）においては上方向）。図示しないが、本体２１のバッテリー収納部の底部に圧縮バネが設けられ、バッテリー１００を固定する係止を解除した際に、バッテリー１００を取り出し易いよう、バッテリー１００を突出させる機能を有している。また、バッテリー１００を本体２１に挿入し係止する際に、係止不完全とならないよう、あらかじめオーバーストロークＬを持っており、最大位置１０３まで後退することができる。
【００４６】
図８（ｄ）は、バッテリー１００がバッテリー基準位置１０１に復帰し、蓋３０に一体に設けられたリブ３７を押し上げる（図８（ｄ）においては下方向）ことにより、蓋３０が自動的に半開になった状態（蓋開状態）を示している。
【００４７】
蓋３０において、回動が可能になる位置（蓋開状態）から回動が禁止され係止される位置（蓋閉状態）までの動きについては、この逆となる。
【００４８】
以上のことから、蓋の開閉動作を繰り返しても係止能力が低下することなく、省スペースで、使用者の使い勝手がよく、かつ簡単な作業で組立可能な電子機器の蓋開閉機構を提供することができる。
（実施の形態３）
実施の形態２で説明した当接部材４０の構成の別の構成を、実施の形態３として、図９を用いて説明する。図９は、実施の形態３におけるデジタルカメラの部分断面図である。その余の構成は、実施の形態２と同様であるので、説明を省略する。実施の形態２との違いは、当接部材４０をより簡単な形状としているところである。
【００４９】
図９（ａ）は、蓋３０の回動が禁止され係止された状態（蓋閉状態）を示している。蓋３０に設けられた当接部材４０に一体に設けられた凸部４１が軸部材５０に当接し、蓋３０は矢印Ａ方向に摺動することができず係止された状態（蓋閉状態）となっている。実施の形態２との違いは、当接部材４０に一体に設けられた凸部４１が、実施の形態２では、当接部材４０の本体２１側に一体に設けられていたが、実施の形態３では、当接部材４０の蓋３０側に一体に設けられており、形状の簡単化が図られている。
【００５０】
図９（ｂ）は、蓋３０に矢印Ａ方向の力を加えることにより摺動が開始され、当接部材４０が変形することによりクリック感を発生させながら、係止が解除される直前の状態を示しており、以降、図９（ｃ）、図９（ｄ）についても、実施の形態２の図８（ｃ）、図８（ｄ）についての説明と同じである。
（実施の形態４）
実施の形態３で説明した当接部材４０の構成の別の構成を例にとり、蓋開状態において、蓋３０が自動的に完全に開く構成を、実施の形態４として、図１０を用いて説明する。図１０は、実施の形態４におけるデジタルカメラの斜視断面図である。
【００５１】
実施の形態３で説明した当接部材４０の構成の別の構成に加え、当接部材４０に巻きバネ６０が併設される。巻きバネ６０は軸部材５０に挿通された状態で、一方の端部６１が蓋３０に、もう一方の端部６２が本体２１側に設けられたバネ孔２６にかかった状態を示している。
【００５２】
巻きバネ６０は、端部６２が本体２１側に設けられたバネ孔２６を押す方向に、端部６１が蓋３０を開こうとする方向に付勢されるよう形成されている。このことから蓋３０には常に開こうとする付勢力が加わっているので、蓋３０が蓋開状態に達すると、巻きバネ６０の付勢力により、蓋３０が自動的に全開状態となる。
【００５３】
従って、実施の形態４の場合、実施の形態１から３で説明した蓋３０を半開状態にする構成は不要であり、より使用者の使い勝手を良くすることができる。
（その他の実施の形態）
以上説明した実施の形態１から４では、蓋閉中状態において、摺動ツメ３２Ａ、３２Ｂ、３２Ｃが、本体２１に設けられた摺動ツメ２５Ａ、２５Ｂ、２５Ｃと係合している間、蓋３０の回動が禁止されることとしたが、これに限定するものではない。蓋３０は、摺動ツメ３２Ａ、３２Ｂ、３２Ｃ以外の係止部を有してもよいし、係止部を有さなくてもよい。蓋３０が係止部を有さない場合は、蓋閉中状態においても蓋３０の回動が可能になるが、蓋３０と本体２１がより簡単な形状となるので、部品コストを削減することができる。
【００５４】
また、以上説明した実施の形態１から４では、本体２１が軸部材５０を備え、蓋３０が当接部材４０を備える構成としたが、これとは逆に、本体２１が当接部材４０を備え、蓋３０が軸部材５０を備える構成としてもよい。
【産業上の利用可能性】
【００５５】
本発明の蓋開閉機構は、バッテリーや記録メディア等を収納することができるデジタルスチルカメラに代表される電子機器に搭載可能である。
【図面の簡単な説明】
【００５６】
【図１】特許文献１の説明図
【図２】デジタルスチルカメラの全体斜視図
【図３】蓋の分解斜視図
【図４】当接部材の斜視図
【図５】実施の形態１におけるデジタルカメラの部分断面図
【図６】デジタルカメラの斜視断面図
【図７】デジタルカメラの分解説明図
【図８】実施の形態２におけるデジタルカメラの部分断面図
【図９】実施の形態３におけるデジタルカメラの部分断面図
【図１０】実施の形態４におけるデジタルカメラの斜視断面図
【符号の説明】
【００５７】
１０    特許文献１の蓋
１０Ａ、１０Ｂ    特許文献１のツメ
１１    特許文献１の本体
１１Ａ、１１Ｂ    特許文献１の係合部
２０    デジタルスチルカメラ
２１    本体
２２    開口部
２３    開口部
２４    突起
２５Ａ、２５Ｂ、２５Ｃ    摺動ツメ
３０    蓋
３１    当接部材収納部
３２Ａ、３２Ｂ、３２Ｃ    摺動ツメ
３３Ａ、３３Ｂ    軸支持孔
３４    孔
３５    壁
３６Ａ、３６Ｂ    孔
３７    リブ
４０    当接部材
４１    凸形状
４２    板バネ
４３    曲げ
４４Ａ、４４Ｂ    曲げ
４５    摺動面
５０    軸部材
６０    巻きバネ
６１    端部
６２    端部
１００    バッテリー
１０１    バッテリー基準位置
１０２    押下位置
１０３    最大位置
２００    記録メディア
【図１】
2009175592.tif 000003
【図２】
2009175592.tif 000004
【図３】
2009175592.tif 000005
【図４】
2009175592.tif 000006
【図５】
2009175592.tif 000007
【図６】
2009175592.tif 000008
【図７】
2009175592.tif 000009
【図８】
2009175592.tif 000010
【図９】
2009175592.tif 000011
【図１０】
2009175592.tif 000012